(57)【要約】【課題】カードの紛失や盗難の時、不正使用を防止し、偽造あるいは複製されたカードの使用を源泉的に予防するカードおよびその活性化方法を提供する。【解決手段】暗証番号入力キーが具備されたカードは、クレジットカード、現金カードなどに使われるマグネチックカード、ICカードあるいはこの二つが結合されたハイブリッドカードのようなカードに適用されて、マグネチックフィルムの一部あるいは全部が磁性を帯びないように印刷されて一側下端の側面に形成された暗証番号入力キーを通じて正確な暗証番号入力の時に、内蔵された永久磁性体から上記マグネチックフィルムに磁力が供給されて活性化される。【選択図】  図２
2004164639.tif 000002
【特許請求の範囲】
【請求項１】
カード上に一部あるいは全部が磁性を帯びないように印刷されたマグネチックフィルムと；
暗証番号入力キーと；
前記カードに内蔵された永久磁性体と； 
上記暗証番号入力キーから正確な暗証番号が入力されると、上記永久磁性体の磁力を上記マグネチックフィルムの非磁化部分に与えて、上記非磁化部分を活性化させる制御部とを含むことを特徴とする暗証番号入力キーが具備されたカード。
【請求項２】
請求項１において、
上記暗証番号入力キーは、前記カードの一方の側面に配置されることを特徴とする暗証番号入力キーが具備されたカード。
【請求項３】
請求項１または２において、
上記暗証番号入力キーは、所定間隔で数字が配列されたことを特徴とする暗証番号入力キーが具備されたカード。
【請求項４】
請求項３において、
上記暗証番号入力キーは、隣り合う暗証番号入力キーを分離する半円形ガイドを複数含むことを特徴とする暗証番号入力キーが具備されたカード。
【請求項５】
請求項３または４において、上記暗証番号入力キーは、
前記カードの一側方の方向に弾性的に押される数字部、及び
上記数字部が該数字部の弾性力に反して押されると、上記数字部の入力信号を上記制御部に伝達するスイッチ回路部を含むことを特徴とする暗証番号入力キーが具備されたカード。
【請求項６】
請求項１〜５のいずれかにおいて、
制御電力を供給する薄膜型の太陽電池をカードの一方の側面にさらに含むことを特徴とする暗証番号入力キーが具備されたカード。
【請求項７】
請求項１〜６のいずれかにおいて、
間違った暗証番号が入力されると、暗証番号入力エラーを知らせる表示窓をさらに含むことを特徴とする暗証番号入力キーが具備されたカード。
【請求項８】
請求項１〜７のいずれかにおいて、
正確な暗証番号入力の後、所定時間が経過すると、上記永久磁性体から上記マグネチックフィルムの非磁化部分に与えられる磁力を遮断するリレータイマーをさらに含むことを特徴とする暗証番号入力キーが具備されたカード。
【請求項９】
請求項１〜８のいずれかにおいて、
上記マグネチックフィルムは、バーコードパターンを有することを特徴とする暗証番号入力キーが具備されたカード。
【請求項１０】
請求項１において、
上記永久磁性体は、薄膜型の形態であることを特徴とする暗証番号入力キーが具備されたカード。
【請求項１１】
カード上に一部あるいは全部が磁性を帯びないように印刷されたマグネチックフィルムと、暗証番号入力キーと、永久磁性体と、制御部を含む前記カードの活性化方法であって、 
前記制御部が、暗証番号入力キーから正確な暗証番号が入力されると、永久磁性体の磁力をマグネチックフィルムの非磁化部分に与えて、上記非磁化部分を活性化させることを特徴とする暗証番号入力キーが具備されたカードの活性化方法。
【発明の詳細な説明】
【技術分野】
【０００１】
本発明は暗証番号入力キーが具備されたカード及びそれの活性化方法に関するものであり、特にクレジットカード、現金カードなどに使用されるマグネチックカード、ICカードあるいはこの二つが結合されたハイブリッドカードのようなカードに適用されて、カードの紛失や盗難の時、不正使用を防止して偽造あるいは複製されたカードの使用を源泉的に予防することができる暗証番号入力キーが具備されたカード及びそれの活性化方法に関するものである。
【背景技術】
【０００２】
一般的に、クレジットカード、現金カードなど各種保安を必要とするカードの保安方法（あるいは装置）はカード署名を利用するか、カードに写真を付着する方法などがある。  
しかし、カード署名を利用した保安方法はカード加盟店で署名対照を正確にできない場合が多いため、カードの紛失や盗難の時に不正使用者がカードの裏面に記載された署名を偽造する場合カードの不正使用を防止できない問題点がある。かつ、カードに写真を付着する場合にも、カード加盟店で顔の確認をきちんとしなかったり、カードの盗難や紛失の時、不正使用者の写真に交替する変造が可能なため、カードの不正使用を防げない問題点がある。
【０００３】
このような問題点を解決するために、従来にはカードの表面に暗証番号を入力する入力ボタンが設置されたカード装置及び方法があった。上記の装置及び方法は大韓民国公開特許第2002-45187号、"カード保安装置及び方法"に記載されている。
【０００４】
即ち、図1に表わしたように、従来技術による上記カード（１）は、一連番号と暗証番号などのカード情報をコード化して印刷されたマグネチックフィルム（２）を裏面に装着させたカードにおいて、上記カード（１）の表面に形成されてマグネチックフィルム（２）に印刷された情報の出力可否を決定する際に押すボタン部(３)と、上記ボタン部(３)を押すことによりマグネチックフィルム（２）に印刷された情報の出力状態を制御する情報制御部（４）と、上記情報制御部（４）の制御動作からロックとアンロック機能を遂行しながらマグネチックフィルム（２）に印刷された情報の出力ができるようにするモード設定部（５）及びカード（１）の一側端に形成し、上記情報制御部（４）に電気的ソースを提供する接続部（６）で構成されている。
【０００５】
しかし、上記の従来技術によるカード（１）は押すことが行われるおよそ１０個のボタンで形成されたボタン部（３）がカード（１）の表面に形成されているため、カード（１）を財布やポケットに入れて保管する時にカード（１）の前裏面に圧力を受けると、上記ボタン部（３）が持続的に押されるようになってスイッチ接点の損傷や動作誤謬を起こすことになる問題があり、また、カード（１）の表面に形成されたボタン部（３）によってカードがカードリーダー機あるいは現金引出機に挿入される時、ボタン部（３）が押されたり、反復的な使用によって毀損されて動作誤謬を誘発させることもある。かつ、通常のカード規格内でカード表面上におよそ１０個のボタンで形成されたボタン部（３）を形成するのは極めて難しく、ボタン部（３）を形成するとしても各ボタンの大きさを小さくする必要があるので正確なボタン入力が難しい問題点がある。
【０００６】
また、上記従来技術によるカード（１）の保安方法において、カード申請者はマグネチックフィルム（２）に印刷されるカード使用の暗証番号と一緒にボタン部（３）に表記されている記号の中で所定パターンになった暗号を使う二重暗号の形態にマグネチックフィルム（２）の情報出力を制御することになるので、正しいカード使用者としても二つの形態の暗号をいつも覚えなければならない不便さがある。
【０００７】
なおかつ、上記従来技術によるカード（１）にはモード設定部（５）によるロックあるいはアンロック機能設定を通じて上記マグネチックフィルム（２）の情報出力ができるとだけ記載されているだけで、カード（１）が通常のカードリーダー機あるいは現金引出機に挿入された時、モード設定部（５）のどのような具体的な技術手段あるいは方法を通じてマグネチックフィルム（２）に既に印刷された情報をリードされないようにロックするか、またはその機能をアンロックするかについて言及がないため、その技術的な構成に問題がある。
【発明の開示】
【発明が解決しようとする課題】
【０００８】
上記の問題点らを解決するための本発明の目的は、マグネチックカードあるいは上記マグネチックカードとICカードが結合されたハイブリッドカードなどのようなカードの一側面に暗証番号入力のための入力キーが具備さて、上記暗証番号入力キーを通じた正確な暗証番号入力の時だけに上記カードのマグネチックフィルムが活性化（activate）されてリードー(read)されることで、カードの紛失や盗難の時、不正使用を防止し、偽造使用を源泉的に予防できる暗証番号入力キーが具備されたカード及びその活性化方法を提供することである。
【課題を解決するための手段】
【０００９】
上記の目的を果たすための本発明による暗証番号入力キーが具備されたカードは、マグネチックフィルムの一部あるいは全部が磁性を帯びないように印刷されて一側下端の側面に形成された暗証番号入力キーを通じて正確な暗証番号入力がなされると内蔵された永久磁性体から上記マグネチックフィルムに磁力が供給され活性化することを特徴とする。
【００１０】
上記暗証番号入力キーが具備されたカードは上記カードの一側下端の側面に形成されて、カードを活性化させるように暗証番号を入力するための上記暗証番号入力キー、データー信号パターンの一部あるいは全部が磁性を帯びないように印刷された上記マグネチックフィルム、上記暗証番号入力キーと連結されて入力される暗証番号によって上記マグネチックフィルムの供給される磁力を制御する制御部、上記マグネチックフィルムに磁力を供給するための薄膜形永久磁性体および上記制御部、上記データー信号パターンの一部あるいは全部及び上記永久磁性体と連結されて上記制御部の制御によって上記マグネチックフィルムに磁力を供給するか遮断するためのスイッチ回路部を含むことができる。
【００１１】
上記暗証番号入力キーはプラスチック材質でなされたカードの前裏面の間にシリコンゴムあるいは合成ゴムでなされた一側下端を持つプラスチック部材層が挿入されて形成されることが好ましい。
【００１２】
上記プラスチック部材層は、上記シリコンゴムあるいは合成ゴムでなされた一側下端の上面に暗証番号入力のための数字が所定間隔に配列形成された第1プラスチック部材層及び上記シリコンゴムあるいは合成ゴムでなされた一側下端の内側面に上記第1プラスチック部材層に配列形成された数字によって上記側面を押す時、接続されるスイッチ端子が挿入された第２プラスチック部材層でなされることが好ましい。
【００１３】
上記カードの前裏面の下端には上記暗証番号入力キーの押さえを防止し、正確な入力を誘導するための多数個の半円形のガイド(guide)が形成されることが好ましい。
上記カードは上記各構成回路を駆動するのに必要な電源を供給するための薄膜形の光電池の光フィルム（photovoltaic solar film）でなされた電源供給部をさらに含むことができる。
【００１４】
上記カードは上記制御部の制御によって上記暗証番号入力キーを通じて正確な暗証番号を入力した時点から一定有効期間、カードの使用準備完了状態を表示して間違った暗証番号入力の時にはエラーを表示するための表示窓をさらに含むことができる。
【００１５】
上記カードはマグネチックカードあるいは上記マグネチックカードとICカードが結合されたハイブリッドカードであることが好ましい。
【００１６】
上記制御部は上記暗証番号入力キーを通じて正確な暗証番号を入力してカードを使った後、一定時間が経過すると上記永久磁性体およびスイッチ回路部から上記マグネチックフィルムに供給される磁力を遮断するためのリレータイマーを含むことが好ましい。
上記制御部はICチップであることもある。
【００１７】
また、上記目的をなすための本発明による暗証番号入力キーが具備されたカードの活性化方法は、マグネチッくカードあるいは上記マグネチックカードとICカードが結合されたハイブリッドカードにおいて、マグネチックフィルムに形成されたデーターパターンの一部あるいは全部を磁性を帯びないように印刷して、上記カードの一側下端の側面に形成された暗証番号入力キーを通じた正確な暗証番号入力の時に上記マグネチックフィルムの一部あるいは全部に磁力を供給して上記カードがリードされるように活性化させることを特徴とする。
【００１８】
かつ、本発明による暗証番号入力キーが具備されたカードの活性化方法は、マグネチックカードあるいは上記マグネチックカードとICカードが結合されたハイブリッドカードにおいて、マグネチックフィルムに形成されたデーター信号パターンの一部あるいは全部をカードリーダー機あるいは現金引出機が認識できないくらいの弱い磁性を帯びるように印刷して、上記カードの一側下端の側面に形成された暗証番号入力キーを通じた正確な暗証番号入力の時に上記マグネチックフィルムの一部あるいは全部に充分な磁力を供給して上記カードがリードされるように活性化させることもできる。
【００１９】
なお、本願においては、「磁性を帯びないように印刷する」という概念には、カードリーダー機あるいは現金引出機が認識できないくらいの弱い磁性が帯びてしまうような印刷も含む。
【発明の効果】
【００２０】
以上のように、本発明による暗証番号入力キーが具備されたカード及びその活性化方法によると、マグネチックカードあるいは上記マグネチックカードとICカードが結合されたハイブリッドカードなどのようなカードの一側面に暗証番号入力のための入力キーが具備されて上記暗証番号入力キーを通じた正確な暗証番号入力の時だけ上記カードのマグネチックフィルムが活性化されてリードーされる。カードの紛失や盗難の時、不正使用を防止し、偽造あるいは複製されたカードの使用を予防できる効果がある。
【００２１】
また、本発明によるとカード会社、カード加盟店などには既存に使用しているカードリーダー機などのような装置及びネットワークシステムを交替する必要なくそのまま使用できるため、追加費用がかからない効果がある。
【発明を実施するための最良の形態】
【００２２】
以下から本発明による暗証番号入力キーが具備されたカード及びその活性化方法の好ましい実施例を添付された図面を参照して詳細に説明する。
【００２３】
図2は本発明の一実施例による暗証番号入力キーが具備されたカードを表わす斜視図である。即ち、図２は本発明をマグネチックカードとICカードが結合されたハイブリッドカードに適用させた一例を表わしたものであり、本発明の一実施例によるカードは、カードの一側下端の側面に形成されてカードを活性化あるいは非活性化させるように暗証番号を入力するための暗証番号入力キー（１０）、データー信号パターンの一部あるいは全部が磁性を帯びないように印刷されたマグネチックフィルム（２０）、暗証番号入力キー（１０）と連結されて入力される暗証番号によってマグネチックフィルム（２０）に供給される磁力を制御する制御部あるいはICチップ（３０）、マグネチックフィルム（２０）に磁力を供給するための薄膜形永久磁性体（４０）を含めている。かつ、本発明の一実施例によるカードの前面にはカード内部の各構成回路を駆動するのに必要な電源を供給するための光電池の光フィルムからなる電源供給部（６０）をさらに含むことができる。上記薄膜形の光電池の光フィルム（６０）は通常のカード使用環境で使用可能な照度の光線(電灯、可視光)から発電されて作動できる。上記制御部（３０）がICチップである場合にはICチップに内蔵されたコイル誘導装置によって電源を供給することができる。
【００２４】
なおかつ、図面で表わしたように、本発明の一実施例によるカードには制御部（３０）の制御のよって暗証番号入力キー（１０）を通じて正確な暗証番号を入力した時点から一定有効期間（例、３０分あるいは６０分などに設定）の間、カードの使用準備完了状態("OK")を表して、間違った暗証番号入力の時にはエラー（"ERROR"）を表すための表示窓（７０）が形成される。
【００２５】
図３は図２の暗証番号入力キーが具備されたカードを表す分離斜視図であり、本発明の一実施例による暗証番号入力キーが具備されたカードには、通常のカードと同一なプラスチック材質からなるカードの前面（１００）と裏面（１０７）の間に挿入された、弾性のあるシリコンゴムあるいはほかの合成ゴムからなる一側下端（１０３，１０５）を持つ複数のプラスチック部材層（１０１，１０４）が形成される。即ち、上記プラスチック部材層はお互い隣接して形成される第１プラスチック部材層（１０１）と第２プラスチック部材層（１０４）からなる。
【００２６】
上記第１プラスチック部材層（１０１）はプラスチック材質の部分層（１０２）と隣接されて、シリコンゴムあるいは合成ゴムでなされた一側下端（１０３）を有する。上記一側下端（１０３）の上面には、暗証番号入力のための数字が所定間隔に配列形成される。かつ、上記第２プラスチック部材層（１０４）もプラスチック材質の部分層と隣接されるシリコンゴムあるいは合成ゴムでなされた一側下端（１０５）を有する。上記一側下端（１０５）の内側面にはスイッチ回路（１０６）が挿入され、そのスイッチ回路（１０６）は上記第１プラスチック部材層（１０１）に形成された数字の配列を従えて上記第１プラスチック部材層の側面が押された時に接続されるようにする。
【００２７】
図面に表わしたように、上記スイッチ回路（１０６）の構造は前裏面（１００、１０７）に加える圧力とは無関係に、その側面に力が加えられた時だけに接続されるように配置されている。
【００２８】
かつ、上記第１プラスチック部材層（１０１）の暗証番号入力のための数字らが配列された一側下端（１０３）の先端部と上記第２プラスチック部材層（１０４）のスイッチ端子（１０６）らが挿入された一側下端（１０５）の先端部は凹んでいるため、図４（a）および図４（b）に図示された本発明の一実施例による暗証番号入力キーが具備されたカードの使用状態図からのように、指先や筆記具などを使用して暗証番号入力キー(１０)に圧力を加えて押す時に容易に暗証番号を入力することができる。なおかつ、上記カードの前裏面（１００，１０７）の下端には半円形状に多数個のガイド（１０８）が形成されているため、暗証番号入力キー（１０）の誤った入力を防止し、操作者に押す位置を案内して正確な暗証番号入力を誘導することができる。
【００２９】
図５は本発明の一実施例による図２の暗証番号入力キーが具備されたカードの内部回路ブロック図である。
【００３０】
本発明の一実施例による暗証番号入力キーが具備されたカード内部回路は、カードの一側下端の側面に形成されてカードを活性化あるいは非活性化させるように暗証番号を入力するための暗証番号入力キー（１０）、データー信号パターンの一部あるいは全部が磁性を帯びないようにカード上に印刷されたマグネチックフィルム（２０）、暗証番号入力キー（１０）と電気的に連結されて入力される暗証番号によってマグネチックフィルム（２０）への磁力の供給を制御する制御部あるいはICチップ（３０）、マグネチックフィルム（２０）に磁力を供給するための薄膜形の永久磁性体（４０）、制御部（３０）の制御によってマグネチックフィルム(２０)に磁力を供給するためのスイッチ回路部（５０）を含めて構成される。
【００３１】
本発明の一実施例によるカードは上記各構成回路を駆動するのに必要な電源を供給するための薄膜形の光フィルムからなる電源供給部（６０）をさらに含むことができる。上記制御部（３０）がICチップである場合にはICチップに内蔵されたコイル誘導装置によって電源を供給することができる。
【００３２】
上記制御部（３０）は、内蔵された制御プログラムによって暗証番号入力キー（１０）を通じて入力される暗証番号と、そのプログラム（図示せず）に記憶された暗証番号とを照合する。仮に上記の２つの番号が一致していた場合には、スイッチ回路部（５０）を通じて永久磁性体（４０）の磁力をマグネチックフィルム（２０）に供給し、磁性を帯びないように印刷されたマグネチックフィルム(２０)上の二進データー信号パターンの一部（２１）あるいは全部(２０)に上記磁力を供給してカードを活性化（activate）させて、通常のカードリーダー機、自動現金引出機などによってリードされるようにする。
【００３３】
もし、暗証番号入力キー（１０）を通じて間違った暗証番号が入力された場合（上記の２つの番号が一致しなかった場合）には、制御部（３０）はスイッチ回路部（５０）に制御信号を出力して永久磁性体（４０）から磁性を帯びないように印刷されたマグネチックフィルム（２０）の一部（２１）あるいは全部（２０）に供給される磁力を遮断したり、光電池の光フィルムからなる電源供給部（６０）と連動して回路の電源供給を遮断することで、カードを非活性化（deactivate）状態にしてカードリ−ダー機、自動現金引出機などによってリードできないようにする。
【００３４】
上記制御部（３０）は暗証番号入力キー（１０）を通じて正確な暗証番号を入力してカードを使用した後、一定時間(例、３０分あるいは６０分などに設定)が経過すると永久磁性体(４０)及びスイッチ回路部（５０）からマグネチックフィルム（２０）に供給される磁力を遮断するためのリレータイマー(未図示された)を内蔵することができる。
【００３５】
かつ、図２に示すように、本発明の一実施例によるカードには制御部（３０）と電気的に連結されてカード状態を表示するための表示窓（７０）が形成されているため、上記制御部（３０）のリレータイマーを利用して暗証番号入力キー（１０）で正確な暗証番号を入力した時点から一定有効時間(例、３０分あるいは６０分などに設定)までカードの使用準備完了状態("OK")を表示して、間違った暗証番号入力の時にはエラー("ERROR")を表示することも可能である。
【００３６】
本発明の一実施例によるカードの制御部（３０）は、最初に正確な暗証番号を誤謬なしで入力するために、四数字の同一の暗証番号を３回以上反復入力することによって上記暗証番号が確定されるようにする機能を制御プログラムに内蔵することができる。
【００３７】
なおかつ、本発明の暗証番号入力キーが具備されたカードの制御部（３０）は、簡単なカード運営体制（COS）プログラムを含むことができる。カードの正使用者が秘密番号（たとえば暗証番号）を入力してそのカードをはじめて使用する時、そのＣＯＳプログラムは、カードリーダー機からの使用承認要請と同時に上記暗証番号を送信し、カード使用承認システムに上記秘密番号が自動登録されるようにすることもできる。したがって、上記カードの盗難、紛失、コピーや偽造された時、および、カード不正使用者が暗証番号を入力しないで使用したり、間違った暗証番号を入力すると、カードを非活性化するにのみならず、そのカード承引は拒否される。さらに、カード会社あるいは警備会社などに警告を発生するようにして盗難、紛失、変造あるいは偽造されたカードの使用を予防することができる。
【００３８】
かつ、本発明の一実施例の暗証番号入力キーが具備されたカードはクレジットカード、現金カードなどに適用されるにのみならず、高度の保安が要求される保安カード(security card)、出入カード、電子身分証（ID Card）などに採択されることもある。
【００３９】
以上から言及したことのように、本発明の一実施例による暗証番号入力キーが具備されたカードを利用した活性化方法は、マグネチックカードあるいは上記マグネチックカードとICカードが結合されたハイブリッドカードにおいて、マグネチックフィルムに形成されたデーター信号パターンの一部（２１）を磁性を帯びないように印刷してその残りの部分（２２）は磁性を帯びるように印刷したり、または、上記マグネチックフィルムに形成されたデーター信号パターンの全部（２０）を磁性を帯びないように印刷した後、上記カードの一側下端の側面に形成された暗証番号入力キー（１０）を通じた正確な暗証番号の入力がなされると、上記マグネチックフィルムの一部（２１）あるいは全部（２０）に磁力を供給して上記カードがリードされるように活性化させるものである。
【００４０】
即ち、通常のマグネチックカードのマグネチックフィルムは、カード情報、カード使用者身上情報などのデーター信号（二進データー：０，１）を磁気記録バンドにバーコードの模様で組み合わせて酸化鉄のような磁性を帯びた物質として記録することでカードリーダー機あるいは現金引出機の磁気ヘッドがこれを感知できるように設計されている。本発明では、上記記録されるデーター信号パターンをカード発給時の記録する時、その全部（２０）あるいは一部(２１)を磁性を帯びないように印刷し、カード使用者が正確な暗証番号を入力するとスイッチ回路部(５０)を駆動して内蔵された薄膜形の永久磁性体（４０）から磁力が供給されて、マグネチックフィルムのデーター信号パターンが磁性を帯びるようにしてリードされるようにすることである。
【００４１】
かつ、本発明の一実施例による暗証番号入力キーが具備されたカードの活性化方法は、マグネチックカードあるいは上記マグネチックカードとICカードが結合されたハイブリッドカードにおいて、マグネチックフィルム（２０）に形成されたデーター信号パターンの一部（２１）あるいは全部（２０）をカードリーダー機あるいは自動現金引出機が認識もできないくらい弱い磁性を帯びるように印刷して、上記カードの一部下端に側面に形成された暗証番号入力キー（１０）を通じて正確な暗証番号が入力されると、上記マグネチックフィルムの一部（２１）あるいは全部（２０）に充分な磁力を供給して上記カードを活性化させることもできる。
【００４２】
前述したように本発明の一実施例によると、紛失や盗難されてカードの不正使用や、コピーや偽造されたカードの使用を防止することができる。てカードの正使用者、カード加盟店、カード会社などの損失を予防して、偽造あるいは複製されたカードの使用を源泉的に防止できて、カード会社、カード加盟店などでは既存に使用していたカードリーダー機などのような装置及びネットワークシステムを交替することなくそのまま使用できるため、追加費用がかからない。
【００４３】
前述した本発明の一実施例による暗証番号入力キーが具備されたカード及びその活性化方法は、多様の変形が可能である。図６（a）及び図６（b）は前述した本発明による暗証番号入力キーが具備されたカードをＩＥ制御カード(スマートカード)に適用させた例であり、本発明の異なる実施例による暗証番号入力キーが具備されたカードを表す斜視図及び内部回路ブロック図である。
【００４４】
即ち、本発明の異なる実施例による暗証番号入力キーが具備されたカードは、カードの一側下端の側面に形成されてカードを活性化させるように暗証番号を入力するための上記暗証番号入力キー(１０´)、暗証番号入力キー(１０´)と電気的に連結されて入力される暗証番号によって内蔵されたカード情報、カード使用者身上情報などのデーター出力を制御するICチップ(３０´)、上記ICチップ(３０´)の制御によって暗証番号入力キー(１０´)を通じて正確な暗証番号を入力した時点から一定有効時間までカードの使用準備完了状態を表示し、間違った暗証番号入力時にはエラーを表示するための表示窓(７０´)などを含めてなされる。
【００４５】
上記ICチップ(３０´)は、内蔵される制御プログラムによって暗証番号入力キー(１０´)を通じて正確な暗証番号を入力してカードを使った後、一定時間が経過すると上記データー出力を遮断するためのリレータイマー(図示せず)を内蔵することができる。かつ、本発明の異なる実施例による暗証番号入力キーが具備されたカードは、ICチップ(３０´)に内蔵されたコイル誘導装置によって回路に電源を供給したり、別に設けた薄膜形の光電池の光フィルムからなる電源供給部(６０´)をから電源を供給することもできる。
上記暗証番号入力キー（１０´）の構造及び構成は図３で上述した暗証番号入力キー（１０）と同一なものである。内蔵される制御プログラムによる上記ICチップ(３０´)の機能も図２あるいは図５で言及した制御部（３０）の機能と同一に設定できることである。
【００４６】
以上に、本発明の好ましい実施の形態を詳細に説明したが、本発明の技術思想の範囲内で多様な変形、修正及び置換が可能なことは当業者にとって明白なことであり、このような変形、修正及び置換が添付された特許請求範囲に属するのは当然なことである。
【図面の簡単な説明】
【００４７】
【図１】従来技術のよるカード装置を表わす平面図である。
【図２】本発明の一実施例による暗証番号入力キーが具備されたカードを表わす斜視図である。
【図３】図2の暗証番号入力キーが具備されたカードを表わす分離斜視図である。
【図４】図4（a）及び図４（b）は本発明の一実施例による暗証番号入力キーが具備されたカードの使用状態図である。
【図５】本発明の一実施例による暗証番号入力キーが具備されたカードの内部回路ブロック図である。
【図６ａ】図６（a）は本発明の異なる実施例による暗証番号入力キーが具備されたカードを表わす斜視図である。
【図６ｂ】図６（b）は本発明の異なる実施例による暗証番号入力キーが具備されたカードの内部回路ブロック図である。
【符号の説明】
【００４８】
１０：暗証番号入力キー
２０：マグネチックフィルム
３０：制御部
４０：永久磁性体
５０：スイッチ回路部
６０：電源供給部
７０：表示窓
１０１：第1プラスチック部材層
１０４：第２プラスチック部材層  
１０８：ガイド
【図１】
2004164639.tif 000003
【図２】
2004164639.tif 000004
【図３】
2004164639.tif 000005
【図４】
2004164639.tif 000006
【図５】
2004164639.tif 000007
【図６ａ】
2004164639.tif 000008
【図６ｂ】
2004164639.tif 000009